(57)【要約】【課題】マジックミラー板を用いて、従来に無い演出効果を生じさせることが可能な空間演出装置を提供する。【解決手段】合わせ鏡となるように前後に配置される一対のマジックミラー板と、一対のマジックミラー板の間に配置される電飾装置と、一対のマジックミラー板のうち、後方のマジックミラー板の背後に配置される特定実体物と、特定実体物へ向けて光を照射するための照明装置とを備える空間演出装置であって、電飾装置が発光し、かつ照明装置が光を照射することで、前方のマジックミラー板を介して、電飾装置の発光及び後方のマジックミラー板に映る像、特定実体物のいずれも視認可能となる。【選択図】図１
2018180272.tif 000002
【特許請求の範囲】
【請求項１】
合わせ鏡となるように前後に配置される一対のマジックミラー板と、
前記一対のマジックミラー板の間に配置される電飾装置と、
前記一対のマジックミラー板のうち、後方のマジックミラー板の背後に配置される特定実体物と、
前記特定実体物へ向けて光を照射するための照明装置と、を備え、
前記電飾装置が発光することで、前記一対のマジックミラー板のうち、前方のマジックミラー板を介して、当該電飾装置の発光及び前記後方のマジックミラー板に映る像を視認可能とし、
前記照明装置が光を照射することで、前記前方のマジックミラー板及び前記後方のマジックミラー板を介して、前記特定実体物を視認可能とし、
前記電飾装置が発光し、かつ前記照明装置が光を照射することで、前記前方のマジックミラー板を介して、当該電飾装置の発光、前記後方のマジックミラー板に映る像及び前記特定実体物のいずれも視認可能とすることを特徴とする空間演出装置。
【請求項２】
前記特定実体物の後方に映像表示装置を備え、
前記映像表示装置に所定の画像を表示することで、前記前方のマジックミラー板及び前記後方のマジックミラー板を介して、当該所定の画像を視認可能とすることを特徴とする請求項１記載の空間演出装置。
【発明の詳細な説明】
【技術分野】
【０００１】
本発明は、マジックミラー板を用いた空間演出装置に関するものである。
【背景技術】
【０００２】
従来、マジックミラー板であって透過率と反射率とを等しくしたハーフミラー板と、高い反射率となっている通常のミラー板とを用いて合わせ鏡とすることで、像を連続的に反射させて視覚効果を生じさせる空間演出装置が知られている。特に、特許文献１に開示されているように、所定の空間における床面の略全体にハーフミラー板及び通常のミラー板を合わせ鏡となるように設置することで空間における床面を演出するものが知られている。
【先行技術文献】
【特許文献】
【０００３】
【特許文献１】特開２０１２−１０７４１２号公報
【発明の概要】
【発明が解決しようとする課題】
【０００４】
しかし、上述したような空間演出装置によって生じる演出効果としては、像の反射が連続して生じることで空間に奥行きが感じられる程度のものにとどまってしまい、インパクトに欠けるという問題が生じていた。
【０００５】
そこで、本発明は、上記の問題を解決するためになされたものであって、マジックミラー板を用いて、従来に無い演出効果を生じさせることが可能な空間演出装置の提供を目的とする。
【課題を解決するための手段】
【０００６】
上述した目的を達成するために、本発明は次のように構成されている。
【０００７】
（１）本発明は、合わせ鏡となるように前後に配置される一対のマジックミラー板（第１マジックミラー板１２、第２マジックミラー板１３）と、前記一対のマジックミラー板の間に配置される電飾装置（電飾装置２３）と、前記一対のマジックミラー板のうち、後方のマジックミラー板（第２マジックミラー板１３）の背後に配置される特定実体物（フィギュア２１）と、前記特定実体物へ向けて光を照射するための照明装置（照明装置２２）と、を備え、前記電飾装置が発光することで、前記一対のマジックミラー板のうち、前方のマジックミラー板（第１マジックミラー板１２）を介して、当該電飾装置の発光及び前記後方のマジックミラー板に映る像を視認可能とし、前記照明装置が光を照射することで、前記前方のマジックミラー板及び前記後方のマジックミラー板を介して、前記特定実体物を視認可能とし、前記電飾装置が発光し、かつ前記照明装置が光を照射することで、前記前方のマジックミラー板を介して、当該電飾装置の発光、前記後方のマジックミラー板に映る像及び前記特定実体物のいずれも視認可能とすることを特徴とする空間演出装置（空間演出装置１）である。
本発明によれば、合わせ鏡の原理を利用することで空間に奥行きが感じられるのと同時に実体物が視認可能となることで、奥行きを感じる空間の中に実体物が存在するかのような視覚効果を得ることが可能となる。
【０００８】
（２）また、本発明に係る空間演出装置は、前記特定実体物の後方に映像表示装置（液晶ディスプレイ２０）を備え、前記映像表示装置に所定の画像（表示画像３０Ａ、３０Ｂ、３０Ｃ）を表示することで、前記前方のマジックミラー板及び前記後方のマジックミラー板を介して、当該所定の画像を視認可能とすることを特徴とする。
【発明の効果】
【０００９】
本発明によれば、マジックミラー板を用いて、従来に無い演出効果を生じさせることが可能な空間演出装置を提供することができる。
【図面の簡単な説明】
【００１０】
【図１】空間演出装置の右側面概略図である。
【図２】空間演出装置の正面概略図である。
【図３】空間演出装置の第３の演出効果を発揮した状態の一例を示す図である。
【発明を実施するための形態】
【００１１】
以下、図面を用いて本発明の実施形態を詳細に説明する。以下の説明により、本発明がそれに限定されるものではなく、当業者にとって容易に実施できる程度の設計変更は本発明の技術的思想に属するものである。
【００１２】
（空間演出装置１の概要）
図１は、本発明の空間演出装置１を右側面から見た場合の概略図である。また、図２は、本発明の空間演出装置１を第１マジックミラー板１２及び第２マジックミラー板１３を取り外した状態で正面から見た場合の概略図である。
なお、本明細書において、空間演出装置１に設けられた各構成部品についての、前後（正面背面）、左右（側面）、上下（天面底面）の方向は、各構成部品を空間演出装置１に設置した状態で空間演出装置１を正面視したときの方向を示すものとする。
【００１３】
空間演出装置１は、後述する演出効果を発揮することができる程度の明度まで暗くすることが可能な施設内に設置される。当該施設に入場した来場者は、第１マジックミラー板１２と対向するように臨むことで後述する演出効果を体感することができる。
【００１４】
図１のように、空間演出装置１は、施設の床面から所定の高さとなる位置に配置される底面板１１を備え、また、底面板１１の上面において合わせ鏡となるように配置される第１マジックミラー板１２及び第２マジックミラー板１３を備える。そして、第１マジックミラー板１２及び第２マジックミラー板１３の間に配置される電飾装置２３を備える。また、第２マジックミラー板１３の後方に配置されるフィギュア２１（特定実体物）と液晶ディスプレイ２０（映像表示装置）を備える。また、フィギュア２１に向けて下方から光を照射する照明装置２２を備える。
【００１５】
底面板１１は透明なアクリル板によって形成されており、支柱（図示省略）によって支えられている。また底面板１１の下面前端には、床面に向けて垂直に延びる幕板１５が設けられている。そして、底面板１１及び幕板１５によって空間を仕切ることで、底面下空間４が形成される。
【００１６】
なお、底面板１１はアクリル板以外の部材でもよく、少なくとも透過性を有しており、第１マジックミラー板１２及び第２マジックミラー板１３やフィギュア２１を配置することができる部材であればよい。
【００１７】
第１マジックミラー板１２は、反射率の方が透過率よりも大きくなるように構成されたマジックミラー板である。本形態では、反射率が約９２パーセント（透過率が約８パーセント）となるマジックミラー板が用いられている。そして、第１マジックミラー板１２は底面板１１の上面前端に配置されており、天面板１０に向けて垂直に延びている。また、第１マジックミラー板１２の上端と天面板１０との間には、電飾装置２３を配置可能な隙間が形成されている。
【００１８】
第２マジックミラー板１３は、第１マジックミラー板１２と同様に、反射率の方が透過率よりも大きくなるように（反射率が約９２パーセント、透過率が約８パーセント）構成されたマジックミラー板である。そして、第２マジックミラー板１３は、第１マジックミラー板１２の後方であって、第１マジックミラー板１２と所定の角度（本実施形態では４５度）を成して合わせ鏡となるように配置されている。
具体的には、第２マジックミラー板１３の下端が第１マジックミラー板１２の下端と略同位置となるように配置され、第２マジックミラー板１３の上端が後方に向けて傾倒している。そして、第１マジックミラー板１２と第２マジックミラー板１３との成す角度は４５度となっている。
また、第２マジックミラー板１３の上端は液晶ディスプレイ２０の上端の近傍に位置している。
【００１９】
そして、第１マジックミラー板１２、第２マジックミラー板１３及び天面板１０によって仕切られた空間により、電飾空間２が形成される。
また、第２マジックミラー板１３、底面板１１及び後述する背面壁１４によって仕切られた空間により、実体物空間３が形成される。
【００２０】
なお、第１マジックミラー板１２及び第２マジックミラー板１３の透過率と反射率は後述の演出効果を発揮することができる範囲内で適宜変更してもよい。たとえば、透過率と反射率とが等しくなるようにしてもよい。換言すれば、第１マジックミラー板１２及び第２マジックミラー板１３はいずれも、透過率と反射率とが等しくなっているハーフミラー板としてもよい。
【００２１】
電飾装置２３は外部の電源（図示省略）から電力が供給されることで発光することが可能な電飾であって、光源２５や配線２４によって構成される。光源２５としてはＬＥＤや電球など既存の光源を採用することができる。
電飾装置２３は電飾空間２に配置され、スイッチや制御装置（いずれも図示省略）の操作によって種々の発光パターンで発光することが可能である。
【００２２】
フィギュア２１は特定のモチーフをかたどった人形として構成される。モチーフとしては人物、動物、漫画等のキャラクターを採用することができ、他にも神仏を模した像や建物のミニチュア、置物等を採用することもできる。
フィギュア２１は実体物空間３（第２マジックミラー板１３の後方）であって、液晶ディスプレイ２０の前方に配置される。
【００２３】
液晶ディスプレイ２０は特定の文字や画像、動画を表示する表示用デバイスとして構成される。外部の制御装置（図示省略）によって制御されることで、種々の表示パターンで文字や画像等の表示を実行することが可能である。
図２に示すように、液晶ディスプレイ２０は映像表示部２０Ａと枠部２０Ｂを備え、枠部２０Ｂは光の反射を抑えるため黒色によって形成されている。
液晶ディスプレイ２０は実体物空間３であって、フィギュア２１の後方に配置される。
なお、表示用デバイスとしては液晶ディスプレイに限られず、プロジェクタ装置等の種々の表示用デバイスを採用することができる。
【００２４】
照明装置２２は外部の電源（図示省略）から電力が供給されることで、フィギュア２１に向けて底面板１１を介して光を照射することが可能な照明器具によって構成される。照明器具の光源としてはＬＥＤや電球など既存の光源を採用することができる。
照明装置２２は底面下空間４に配置され、スイッチや制御装置（いずれも図示省略）の操作によって種々の発光パターンで発光することが可能である。
【００２５】
天面板１０は反射率が高い（ほぼ１００パーセントの反射率）ミラー板により構成されている。すなわち、天面板１０は、第１マジックミラー板１２及び第２マジックミラー板１３と異なり、通常の鏡である。
天面板１０は空間演出装置１における天井を構成する板である。そして、天面板１０と第２マジックミラー板１３とは、所定の角度（本実施形態では４５度）を成して構成された合わせ鏡となっている。
【００２６】
背面壁１４は空間演出装置１の背面を構成するものである。また、図２に示す左側面壁１５及び右側面壁１６はそれぞれ空間演出装置１の側面を構成するものであり、天面板１０と同様に、反射率が高い（ほぼ１００パーセント）ミラー板、すなわち、通常の鏡により構成されている。そして、左側面壁１５と右側面壁１６とは合わせ鏡となっている。
なお、左側面壁１５及び右側面壁１６は、ミラー板では無く、通常の板等により構成してもよい。また、背面壁１４、左側面壁１５、右側面壁１６は空間演出装置１が設置される施設の壁により代用してもよい。また、後述する演出効果を発揮することができる程度の暗さを確保できるならば、天面板１０、背面壁１４、左側面壁１５、右側面壁１６の全て、又はいずれかを設けずに開放された状態によって空間演出装置１を構成してもよい。
【００２７】
（演出効果）
次に、空間演出装置１による演出効果について説明をする。
まず、電飾装置２３や照明装置２２を発光させず、空間演出装置１における電飾空間２や実体物空間３側よりも来場者側の明度が明るい状態（空間演出装置１による演出効果を発揮させていない状態）では、明るさの違いから、来場者は電飾空間２や実体物空間３側の透過像を視認することはできず、第１マジックミラー板１２に反射する来場者側の反射像のみ視認することになる。
【００２８】
一方、施設内の明度を暗くして、電飾装置２３のみを発光させた状態（空間演出装置１による演出効果のうち第１の演出効果を発揮した状態）においては、明るさの違いから、来場者は第１マジックミラー板１２に反射する来場者側の反射像を視認することはできず、第１マジックミラー板１２を介して来場者側に透過する電飾空間２における電飾装置２３の発光及び第２マジックミラー板１３に映る反射像を視認することになる。
第２マジックミラー板１３に映る反射像は電飾空間２を映すものである。上述の状態においては照明装置２２が光を照射しておらず、実体物空間３側よりも電飾空間２側の方が明るくなるため、第２マジックミラー板１３を透過する実体物空間３側の像を来場者は視認することができなくなっている。
【００２９】
また、第１マジックミラー板１２と第２マジックミラー板１３とは合わせ鏡となっているため、反射の連続によって、第２マジックミラー板１３に映る反射像は電飾空間２が連続的に続いているように見えるものとなり、空間に奥行きを感じるような視覚効果を得ることができる。
【００３０】
更に、第２マジックミラー板１３は天面板１０とも合わせ鏡となっているため、第１マジックミラー板１２と同様に、第２マジックミラー板１３及び天面板１０により生じる反射の連続によっても視覚効果を得ることができる。加えて、第１マジックミラー板１２を通して天面板１０を見上げることによっても天面板１０に映る反射像を視認することができ、電飾空間２が連続的に続いているような視覚効果を得ることができる。更に、左側面壁と及び右側面壁１６とは通常の鏡により構成されており、かつ合わせ鏡となっているため、左右方向の反射の連続によって、電飾空間２が左右方向に連続的に続いているように見える。これにより、左右方向にも広がり（左右方向への奥行き）を感じるような視覚効果も得ることができる。
【００３１】
そして、施設内の明度を暗くして、照明装置２２が光を照射した状態（空間演出装置１による演出効果のうち第２の演出効果を発揮した状態）においては、明るさの違いから、来場者は第１マジックミラー板１２に反射する来場者側の反射像を視認することはできず、第１マジックミラー板１２及び第２マジックミラー板１３を介して来場者側に透過する実体物空間３におけるフィギュア２１を視認することになる。
上述の状態においては、電飾装置２３を発光させていないため、電飾空間２側よりも実体物空間３側の方が明るくなり、第２マジックミラー板１３に映る電飾空間２側の反射像を来場者は視認することができず、第２マジックミラー板１３を透過する実体物空間３におけるフィギュア２１を視認することが可能となる。
従って、来場者は第１マジックミラー板１２及び第２マジックミラー板１３を通して実体物空間３におけるフィギュア２１の透過像を視認することになる。
【００３２】
そして、施設内の明度を暗くして、電飾装置２３を発光させ、かつ照明装置２２が光を照射した状態（空間演出装置１による演出効果のうち第３の演出効果を発揮した状態）においては、明るさの違いから、来場者は第１マジックミラー板１２に反射する来場者側の反射像を視認することはできない。そして、電飾装置２３の発光の明るさと照明装置２２からの照射光の明るさとに応じて、第１マジックミラー板１２を介して来場者側に透過する電飾空間２における電飾装置２３の発光及び第２マジックミラー板１３に映る反射像と、第２マジックミラー板１３を透過する実体物空間３におけるフィギュア２１とを視認することが可能となる。
具体的には、第１マジックミラー板１２及び第２マジックミラー板１３は反射率の方が透過率よりも高くなっているため、たとえば、第２マジックミラー板１３を透過した照明装置２２からの照射光が電飾装置２３の発光よりも暗い場合には、電飾装置２３の発光及び第２マジックミラー板１３に映る反射像が、実体物空間３におけるフィギュア２１よりも優先して視認される。すなわち、この場合には、実体物空間３におけるフィギュア２１を視認することは困難となる。これに対して、第２マジックミラー板１３を透過した照明装置２２からの照射光が電飾装置２３の発光よりも明るい場合には、電飾装置２３の発光及び第２マジックミラー板１３に映る反射像を視認可能となるとともに、実体物空間３におけるフィギュア２１も視認可能となる。
【００３３】
第３の演出効果を発揮した状態における一例を、図３を用いて具体的に説明する。
図３に示すように、第３の演出効果を発揮する状態においては、空間演出装置１の内部及び来場者側の空間について明度を暗くしているため、電飾装置２３における配線２４や液晶ディスプレイ２０における映像表示部２０Ａや枠部２０Ｂを明確に視認することはできない。
その状態であっても、電飾装置２３における光源２５が発する発光（以下、単に「発光３２」とする）や第２マジックミラー１３に映る発光３２の反射像（以下、単に「演出光３１」とする）は第１マジックミラー板１２を介して視認することができる。
また、照明装置２２がフィギュア２１に向けて光源２５の発光よりも明るい光を照射することで（第２マジックミラー板１３を透過した照明装置２２からの照射光が電飾装置２３の発光よりも明るくなるような強い光を、照明装置２２が照射することで）、実体物空間３におけるフィギュア２１の像が第２マジックミラー板１３及び第１マジックミラー板１２を透過する。これにより、第１マジックミラー板１２及び第２マジックミラー板１３を通して、実体物空間３におけるフィギュア２１を視認することができる。
【００３４】
ここで、空間演出装置１においては、フィギュア２１の配置場所や光源２５の発光の明るさ及び照明装置２２が照射する光の明るさ、照明装置２２が照射する光の位置との関係により、第２マジックミラー板１３において、演出光３１を視認することができる場所と、フィギュア２１を視認することができる場所が生じるようになっている。つまり、強い光が照射されることで実体物空間３側が明るくなるフィギュア２１の周辺については第２マジックミラー板１３を介してフィギュア２１を視認することができ、フィギュア２１から離れており、照明装置２２から照射されて届く光の明るさよりも光源２５の発光の明るさが上回る場所、又は照明装置２２が照射する光が届かない場所については第２マジックミラー板に映る反射像である演出光３１を視認することができる。
【００３５】
第３の演出効果を発揮した状態において、さらに液晶ディスプレイ２０にて表示画像３０Ａ、３０Ｂ、３０Ｃを表示する。表示画像３０Ａは人物の顔を表した写真画像であり、表示画像３０Ｂはハート型のモチーフ画像であり、表示画像３０Ｃは「ありがとう」の文字を表した文字画像である。なお、表示する画像はこれらに限られず、種々の画像や動画を表示することができる。
この場合においてもフィギュア２１を視認することになる場合と同様に、液晶ディスプレイ２０が各表示画像を表示することで、表示箇所の付近の明るさが電飾空間２側の明るさを上回れば、当該表示箇所の付近を視認することになる。
【００３６】
このように、第３の演出効果を発揮した状態においては、第１マジックミラー板１２を通して、発光３２、演出光３１、フィギュア２１が同時に視認可能となるため、演出光３１を視認することができる場所については、第１の演出効果と同様に電飾空間２が連続的に続いているように見え、空間に奥行き及び広がりを感じるような視覚効果を得ることができ、更にそれに囲まれるようにフィギュア２１を視認することができるため、奥行き及び広がりのある空間の中にフィギュア２１が鎮座しているかのような印象を与えることができるという優れた演出効果を提供することができる。
【００３７】
更に、第１から第３の演出効果を切り替えて発揮することができるため、変化に富んだインパクトのある演出効果を提供することができる。
【００３８】
更に、液晶ディスプレイ２０には様々な表示画像を表示することが可能となるため、来場者に合わせて適切な画像を表示することで、より高い演出効果を提供することができる。
【００３９】
最後に、上述の実施の形態の変形例について説明する。
上述の実施の形態では、照明装置２２は底面下空間４に配置されていたが、これに限定されるものではなく、実体物空間３におけるフィギュア２１の目の前や各側面壁に配置するようにしてもよい。
このような場合においては、底面板１１は透明部材にしなくともよい。
【００４０】
上述の実施の形態では、フィギュア２１は１つのみ配置したが、これに限定されるものではなく、複数のフィギュア２１を配置してもよい。このような場合においては、複数のフィギュア２１のそれぞれに対応するように照明装置２２を設けて、別個に光を照射可能とすることで、演出の実行状況に応じて視認することができるフィギュア２１を異ならせることが考えられる。これにより、より変化に富んだ演出効果を提供することができる。
【００４１】
上述の実施の形態では、実体物空間３にフィギュア２１と液晶ディスプレイ２０の双方を配置するとしたが、これに限られるものではなく、実体物空間３にフィギュア２１のみを配置してもよいし、また実体物空間３に液晶ディスプレイ２０のみを配置してもよい。
【００４２】
上述の実施の形態では、第１マジックミラー板１２と第２マジックミラー板１３との角度を４５度としたが、これに限られるものではなく、上述した演出効果を発揮することが可能な範囲内において適宜変更することができる。
また、第１マジックミラー板１２と第２マジックミラー板１３とを並行かつ合わせ鏡となるように配置してもよい。このような場合においては、第２マジックミラー板１３に映る反射像の視覚効果（第１の演出効果）として、電飾空間２が無限に続くような視覚効果を得ることができる。
【符号の説明】
【００４３】
１  空間演出装置
２  電飾空間
３  実体物空間
４  底面下空間
１０  天面板
１１  底面板
１２  第１マジックミラー板
１３  第２マジックミラー板
２０  液晶ディスプレイ
２１  フィギュア
２２  照明装置
２３  電飾装置
【図１】
2018180272.tif 000003
【図２】
2018180272.tif 000004
【図３】
2018180272.tif 000005